(57)【要約】通信装置（１００）と通信装置（２００）とのうちのいずれか一方の装置は、電源線（５１０）と共用線（５３０）とを介して交流電源（６００）から供給される交流電力からシリアル通信用の直流電流を生成し、生成した直流電流をカレントループに流す直流電源（１１０）を備える。通信装置（１００）と通信装置（２００）とのうちのいずれか一方の装置は、信号線（５２０）と共用線（５３０）との間の電圧に応じて、信号線（５２０）と共用線（５３０）との間のインピーダンスを調整する調整部（１６０）を備える。
2016139746.tif 000002
【特許請求の範囲】
【請求項１】
信号線と共用線とが直列に接続されて構成されるカレントループに流れる電流を制御することによりデータを送信する送信装置と、
前記信号線と前記共用線と電源線とにより前記送信装置に接続され、前記カレントループに流れる電流を検出することによりデータを受信する受信装置と、を備え、
前記送信装置と前記受信装置とのうちのいずれか一方の装置は、前記電源線と前記共用線とを介して交流電源から供給される交流電力からシリアル通信用の直流電流を生成し、生成した直流電流を前記カレントループに流す直流電源を備え、
前記送信装置と前記受信装置とのうちのいずれか一方の装置は、前記信号線と前記共用線との間の電圧に応じて、前記信号線と前記共用線との間のインピーダンスを調整する調整部を備える、
通信システム。
【請求項２】
前記調整部は、前記信号線と前記共用線とに接続され、前記信号線と前記共用線との間の電圧に応じて、前記信号線から前記共用線に基準電流値以下の電流を流す回路である、
請求項１に記載の通信システム。
【請求項３】
前記調整部のインピーダンスは、前記信号線と前記共用線との間の電圧が基準電圧未満であるときに、基準値に維持され、前記信号線と前記共用線との間の電圧が前記基準電圧以上であるときに、前記信号線と前記共用線との間の電圧と前記基準電圧との差に比例して増加する、
請求項２に記載の通信システム。
【請求項４】
信号線と共用線と電源線とにより受信装置に接続され、
前記電源線と前記共用線とを介して交流電源から交流電力が供給される直流電源により生成されるシリアル通信用の直流電流であって前記信号線と前記共用線とが直列に接続されて構成されるカレントループに流れる電流を制御することによりデータを送信する送信部と、
前記信号線と前記共用線との間の電圧に応じて、前記信号線と前記共用線との間のインピーダンスを調整する調整部と、を備える、
送信装置。
【請求項５】
信号線と共用線と電源線とにより送信装置に接続され、
前記電源線と前記共用線とを介して交流電源から交流電力が供給される直流電源により生成されるシリアル通信用の直流電流であって前記信号線と前記共用線とが直列に接続されて構成されるカレントループに流れる電流を検出することによりデータを受信する受信部と、
前記信号線と前記共用線との間の電圧に応じて、前記信号線と前記共用線との間のインピーダンスを調整する調整部と、を備える、
受信装置。
【発明の詳細な説明】
【技術分野】
【０００１】
本発明は、カレントループを用いてシリアル通信する通信システム、送信装置、及び、受信装置に関する。
【背景技術】
【０００２】
フォトカプラを用いたシリアル通信により複数の通信装置が相互に通信する通信システムが知られている。例えば、特許文献１には、室外機に、一対の商用電源線（電源線及び共用線）と信号線とを介して、並列に複数の室内機が接続されたいわゆるセパレートタイプの空気調和機が開示されている。この空気調和機では、信号線と共用線とを含むカレントループを用いたシリアル通信により、室外機と複数の室内機とが相互に通信する。ここで、各室内機には、信号線に電源が誤接続された場合に各室内機が備える回路素子を保護するために、カレントループ上に大きな抵抗値（数ｋΩ〜数十ｋΩ程度）の抵抗が設けられる。
【先行技術文献】
【特許文献】
【０００３】
【特許文献１】特許第２９４８５０２号公報
【発明の概要】
【発明が解決しようとする課題】
【０００４】
しかしながら、特許文献１に記載された構成では、例えば、室内機の台数が少ない場合、信号線と共用線との間のインピーダンスが大きくなる。この場合、室外機がカレントループの状態を遮断状態（電流が流れない状態）にしたときに、信号線と共用線との間に発生する誘起電圧が大きくなり、この誘起電圧に起因するノイズ電流も大きくなる。そして、このノイズ電流が大きくなると、室内機がデータを誤検出する可能性が生じる。【０００５】
本発明は、上記問題に鑑みてなされたものであり、シリアル通信におけるノイズ耐性を向上させる通信システム、送信装置、及び、受信装置を提供することを目的とする。
【課題を解決するための手段】
【０００６】
上記目的を達成するために、本発明に係る通信システムは、
信号線と共用線とが直列に接続されて構成されるカレントループに流れる電流を制御することによりデータを送信する送信装置と、
前記信号線と前記共用線と電源線とにより前記送信装置に接続され、前記カレントループに流れる電流を検出することによりデータを受信する受信装置と、を備え、
前記送信装置と前記受信装置とのうちのいずれか一方の装置は、前記電源線と前記共用線とを介して交流電源から供給される交流電力からシリアル通信用の直流電流を生成し、生成した直流電流を前記カレントループに流す直流電源を備え、
前記送信装置と前記受信装置とのうちのいずれか一方の装置は、前記信号線と前記共用線との間の電圧に応じて、前記信号線と前記共用線との間のインピーダンスを調整する調整部を備える。
【発明の効果】
【０００７】
本発明では、信号線と共用線との間の電圧に応じて、信号線と共用線との間のインピーダンスが調整される。従って、本発明によれば、シリアル通信におけるノイズ耐性が向上する。
【図面の簡単な説明】
【０００８】
【図１】本発明の実施形態１に係る通信システムの構成図である。
【図２】調整部の等価回路を示す図である。
【図３】信号線と共用線との間の線間電圧と調整部のインピーダンスとの関係を示す図である。
【図４】信号線と共用線との間の線間電圧と調整部に流れる電流との関係を示す図である。
【図５】通信システムが調整部を有さない場合にデータが誤検出される理由を説明するための図である。（Ａ）は、フォトカプラ１２１の状態が変化する様子を示すタイミングチャートである。（Ｂ）は、信号線と共用線との間の線間電圧が変化する様子を示すタイミングチャートである。（Ｃ）は、制御部２６０が備えるＰＩ端子の電圧が変化する様子を示すタイミングチャートである。
【図６】通信システムが調整部を有する場合にデータが誤検出されない理由を説明するための図である。（Ａ）は、フォトカプラ１２１の状態が変化する様子を示すタイミングチャートである。（Ｂ）は、信号線と共用線との間の線間電圧が変化する様子を示すタイミングチャートである。（Ｃ）は、制御部２６０が備えるＰＩ端子の電圧が変化する様子を示すタイミングチャートである。
【図７】本発明の実施形態２に係る通信システムの構成図である。
【発明を実施するための形態】
【０００９】
（実施形態１）
（通信システム１０００の構成）
まず、図１を参照して、本発明の実施形態１に係る通信システム１０００の構成について説明する。図１に示すように、通信システム１０００は、通信装置１００と、通信装置２００と、通信装置３００と、通信装置４００と、を備える。本実施形態では、通信システム１０００が空調システムであり、通信装置１００が室外機であり、通信装置２００と、通信装置３００と、通信装置４００と、が室内機である。
【００１０】
通信装置２００と通信装置３００と通信装置４００とは、電源線５１０と信号線５２０と共用線５３０とのそれぞれにより、通信装置１００に対して互いに並列に接続される。電源線５１０は、交流電源６００の電源電位（Ｌ相の電位）に設定される電線である。信号線５２０は、直流電源１１０から供給される通信電流が流れる電線である。共用線５３０は、交流電源６００及び直流電源１１０の基準電位（Ｎ相の電位）に設定される電線であり、また、通信電流を戻すための電線である。交流電源６００は、交流電力を供給する交流電源であり、例えば２００Ｖの電圧を出力する商用電源である。以下、各構成要素の接続関係について具体的に説明する。
【００１１】
通信装置１００は、端子１８１と端子１８２と端子１８３と端子１８４と端子１８５とを備える。通信装置２００は、端子２８１と端子２８２と端子２８３とを備える。通信装置３００は、端子３８１と端子３８２と端子３８３とを備える。通信装置４００は、端子４８１と端子４８２と端子４８３とを備える。端子１８１は、電源線５１０により、端子２８１と端子３８１と端子４８１とのそれぞれに接続される。端子１８２は、信号線５２０により、端子２８２と端子３８２と端子４８２とのそれぞれに接続される。端子１８３は、共用線５３０により、端子２８３と端子３８３と端子４８３とのそれぞれに接続される。
【００１２】
端子１８４は、電源線５３１により、交流電源６００の一端（Ｌ相端子）に接続される。端子１８５は、共用線５３２により、交流電源６００の他端（Ｎ相端子）に接続される。つまり、通信装置１００は、端子１８４と端子１８５とを介して、交流電源６００から交流電力の供給を受ける。なお、通信装置２００は、端子２８１と端子２８３とを介して、交流電源６００から交流電力の供給を受ける。通信装置３００は、端子３８１と端子３８３とを介して、交流電源６００から交流電力の供給を受ける。通信装置４００は、端子４８１と端子４８３とを介して、交流電源６００から交流電力の供給を受ける。
【００１３】
本実施形態では、電源線５１０と信号線５２０と共用線５３０とは、１本のケーブルにまとめられているものとする。このため、電源線５１０と信号線５２０と共用線５３０との間には、無視できない程度の大きさの線間容量が存在する。例えば、信号線５２０と共用線５３０との間には、線間容量が存在する。この線間容量は、信号線５２０や共用線５３０の長さに比例して大きくなる。この線間容量の大きさは、信号線５２０や共用線５３０の材料によっても異なるが、例えば、信号線５２０や共用線５３０の長さが１００ｍ程度の場合、おおよそ１００００ｐＦ程度となる。図１におけるコンデンサ５０は、この線間容量を有する仮想的なコンデンサである。
【００１４】
次に、通信電流によるシリアル通信によりデータを伝送する手法について説明する。通信電流は、通信装置１００→信号線５２０→通信相手の通信装置→共用線５３０→通信装置１００という伝送経路（以下「カレントループ」という。）を流れる電流である。なお、通信相手の通信装置は、通信装置２００と通信装置３００と通信装置４００とのうちの少なくとも１つの通信装置である。通信相手の通信装置が複数存在する場合、通信電流は、通信相手の通信装置に分岐して供給され、その後、合流して通信装置１００に戻る。
【００１５】
シリアル通信により伝送されるデータは、「１」と「０」との組み合わせにより定義される２進数で表現される。通信装置１００から通信相手の通信装置にデータが伝送される場合、通信装置１００は、送信するデータに基づいて、予め設定された基準周期毎に、通信電流を流したり遮断したりする。例えば、通信装置１００は、「１」を送信すべきときは通信電流を流し、「０」を送信すべきときは通信電流を遮断する。この場合、通信電流が流れていることは「１」が送信されたことを意味し、通信電流が遮断されていることは「０」が送信されたことを意味する。なお、通信装置１００がデータを送信する間、通信相手の通信装置は、カレントループに通信電流が流れるように、送信用のフォトカプラをＯＮ状態にする。
【００１６】
通信相手の通信装置は、基準周期毎に通信電流の有無を判別し、通信電流の有無のパターンに対応付けられた２進数のデータを、通信装置１００により送信されたデータとして認識する。なお、「０」と「１」の論理は、適宜、反転させることが可能である。また、カレントループに通信電流が流れている状態のことを、カレントループが導通状態であるといい、カレントループの通信電流が遮断されている状態のことを、カレントループが非導通状態であるという。また、カレントループの導通／非導通状態は、導通状態と非導通状態とのうちのいずれかの状態である。また、導通状態のことを、適宜、ＯＮ状態といい、非導通状態のことを、適宜、ＯＦＦ状態という。
【００１７】
また、通信相手の通信装置から通信装置１００にデータが伝送される場合、通信相手の通信装置は、送信するデータに基づいて、基準周期毎に通信電流を流したり遮断したりする。そして、通信装置１００は、基準周期毎に通信電流の有無を判別し、通信電流の有無のパターンに対応付けられた２進数のデータを、通信相手の通信装置より送信されたデータとして認識する。なお、通信相手の通信装置がデータを送信する間、通信装置１００は、カレントループに通信電流が流れるように、送信用のフォトカプラをＯＮ状態にする。
【００１８】
次に、通信装置１００の構成について説明する。図１に示すように、通信装置１００は、直流電源１１０と、送信部１２０と、受信部１３０と、制御部１４０と、抵抗１５０と、調整部１６０と、電源端子１９０と、接地端子１９１と、ダイオード１９２と、ダイオード１９３と、を備える。
【００１９】
直流電源１１０は、シリアル通信に用いる通信電流を供給する直流電源である。直流電源１１０は、端子１８４と端子１８５とを介して交流電源６００から供給された交流電力を、直流電力に変換する。直流電源１１０は、共用線５３０の電位を基準として、電圧Ｖｃ（Ｖ）の通信用電圧を出力する。直流電源１１０は、抵抗１１１と、ダイオード１１２と、電解コンデンサ１１４と、ツェナーダイオード１１３と、を備える半波整流回路である。
【００２０】
抵抗１１１は、ツェナーダイオード１１３に流れる電流を制限する抵抗である。抵抗１１１の一端は、端子１８４に接続される。抵抗１１１の他端は、ダイオード１１２のアノードに接続される。ダイオード１１２のカソードは、ツェナーダイオード１１３のカソードと、電解コンデンサ１１４の＋端子と、フォトトランジスタ１２１ｂのコレクタと、に接続される。ツェナーダイオード１１３は、降伏電圧（両端の電圧）がＶｃ（Ｖ）であるツェナーダイオードである。ツェナーダイオード１１３のアノードは、電解コンデンサ１１４の−端子と、ダイオード１９３のカソードと、端子１８３と、端子１８５と、に接続される。電解コンデンサ１１４は、極性を有するコンデンサであり、脈流電圧を平滑化する機能を有する。
【００２１】
送信部１２０は、カレントループの状態を導通状態と非導通状態との間で切り替えることによりデータを送信する回路である。具体的には、送信部１２０は、制御部１４０が備えるＰＯ（Ｐａｌｌａｌｅｌ  Ｏｕｔｐｕｔ）端子のレベルがＨレベルである間、カレントループに通信電流を流し、ＰＯ端子のレベルがＬレベルである間、カレントループに通信電流を流さない。なお、例えば、Ｈレベルは５Ｖであり、Ｌレベルは０Ｖである。送信部１２０は、フォトカプラ１２１と、抵抗１２２と、を備える。
【００２２】
フォトカプラ１２１は、２つの回路を、相互に電気的に絶縁するための素子である。フォトカプラ１２１は、発光ダイオード１２１ａとフォトトランジスタ１２１ｂとを備える。発光ダイオード１２１ａに一次側電流が流れると、フォトトランジスタ１２１ｂの電流路に二次側電流が流れる。以下、適宜、発光ダイオード１２１ａに流れる電流を一次側電流と称し、フォトトランジスタ１２１ｂに流れる電流を二次側電流と称する。また、発光ダイオード１２１ａに印加された電圧を一次側電圧と称し、フォトトランジスタ１２１ｂのエミッタ−コレクタ間に印加された電圧を二次側電圧と称する。
【００２３】
発光ダイオード１２１ａは、一次側電圧の電圧値が閾値以上になると、一次側電流を流すとともに一次側電流の電流値に応じた強度で発光する。発光ダイオード１２１ａのアノードは、抵抗１２２の一端に接続される。発光ダイオード１２１ａのカソードは、接地端子１９１に接続される。フォトトランジスタ１２１ｂは、二次側電圧と発光ダイオード１２１ａの発光強度とに応じた二次側電流を、コレクタからエミッタに向けて流す。フォトトランジスタ１２１ｂのエミッタは、発光ダイオード１３１ａのアノードに接続される。
【００２４】
抵抗１２２は、制御部１４０のＰＯ端子から発光ダイオード１２１ａに流れる一次側電流を制限する負荷抵抗である。抵抗１２２の他端は、制御部１４０のＰＯ端子に接続される。
【００２５】
ここで、送信部１２０の動作について簡単に説明する。まず、送信部１２０がデータを送信する際は、フォトカプラ２４１がＯＮ状態に維持されているものとする。制御部１４０のＰＯ端子がＨレベルであると、抵抗１２２を介して発光ダイオード１２１ａに電流が流れる。このため、フォトカプラ１２１がＯＮ状態となり、カレントループに通信電流が流れる。一方、制御部１４０のＰＯ端子がＬレベルであると、発光ダイオード１２１ａに電流が流れない。このため、フォトカプラ１２１がＯＦＦ状態となり、カレントループに通信電流が流れない。
【００２６】
受信部１３０は、カレントループに流れる通信電流の有無を検出することによりデータを受信する回路である。具体的には、受信部１３０は、カレントループに通信電流が流れる間、制御部１４０が備えるＰＩ（Ｐａｒａｌｌｅｌ  Ｉｎｐｕｔ）端子をＨレベルにし、カレントループに電流が流れない間、ＰＩ端子をＬレベルにする。受信部１３０は、フォトカプラ１３１と、抵抗１３２と、を備える。
【００２７】
フォトカプラ１３１は、基本的に、フォトカプラ１２１と同様の構成である。フォトカプラ１３１は、発光ダイオード１３１ａとフォトトランジスタ１３１ｂとを備える。発光ダイオード１３１ａに一次側電流が流れると、フォトトランジスタ１３１ｂの電流路に二次側電流が流れる。発光ダイオード１３１ａのカソードは、抵抗１５０の一端に接続される。フォトトランジスタ１３１ｂのコレクタは、電源端子１９０に接続される。フォトトランジスタ１３１ｂのエミッタは、制御部１４０が備えるＰＩ端子と、抵抗１３２の一端と、に接続される。抵抗１３２は、フォトトランジスタ１３１ｂに流れる電流を制限する負荷抵抗である。抵抗１３２の他端は、接地端子１９１に接続される。
【００２８】
ここで、受信部１３０の動作について簡単に説明する。カレントループに通信電流が流れると、発光ダイオード１３１ａに電流が流れ、フォトカプラ１３１がＯＮ状態になる。このため、フォトトランジスタ１３１ｂと抵抗１３２とを介して、電源端子１９０から接地端子１９１に電流が流れる。従って、抵抗１３２の両端間の電圧が制御部１４０のＰＩ端子に印加され、ＰＩ端子はＨレベルとなる。一方、カレントループに通信電流が流れないと、発光ダイオード１３１ａに電流が流れず、フォトカプラ１３１がＯＦＦ状態になる。従って、ＰＩ端子は抵抗１３２により接地電位にプルダウンされ、ＰＩ端子はＬレベルとなる。
【００２９】
制御部１４０は、フォトカプラ１２１を制御して、データを送信する。また、制御部１４０は、フォトカプラ１３１の状態に基づいて、データを受信する。制御部１４０は、ＨレベルまたはＬレベルの電圧を出力するＰＯ端子と、ＨレベルまたはＬレベルの電圧が印加されるＰＩ端子と、を備える。制御部１４０は、送信するデータに応じてＰＯ端子の電圧のレベルをＨレベルとＬレベルとの間で切り替える。また、制御部１４０は、ＰＩ端子に印加された電圧がＨレベルとＬレベルのうちいずれであるかを判別する。
【００３０】
抵抗１５０は、カレントループ上を流れる電流を制限する制限抵抗である。抵抗１５０は、送信部１２０、受信部１３０、調整部１６０などが備える回路素子を保護する役割を果たす。抵抗１５０の抵抗値は、通信装置２００、通信装置３００、通信装置４００のそれぞれが備える抵抗２１０の抵抗値に比べて十分小さい。これにより、抵抗１５０による電圧降下の影響が小さくなり、通信装置２００、通信装置３００、通信装置４００に十分な通信電流を供給できる。抵抗１５０の他端は、抵抗１６１の一端と、トランジスタ１６２のエミッタと、ダイオード１９２のアノードと、に接続される。
【００３１】
調整部１６０は、信号線５２０と共用線５３０との間の線間電圧のレベルに応じて、信号線５２０と共用線５３０との間の線間インピーダンス（基本的には、信号線５２０と共用線５３０との間の線間抵抗）を調整する回路である。調整部１６０は、信号線５２０と共用線５３０とに接続され、自らのインピーダンス（基本的には、自らの抵抗値。）を調整することにより、信号線５２０と共用線５３０との間の線間インピーダンスを調整する。調整部１６０は、抵抗１６１と、トランジスタ１６２と、トランジスタ１６３と、抵抗１６４と、抵抗１６５と、を備える。
【００３２】
抵抗１６１は、トランジスタ１６２のエミッタ−ベース間に接続される抵抗である。抵抗１６１の他端は、トランジスタ１６２のベースと、トランジスタ１６３のエミッタと、に接続される。トランジスタ１６２は、抵抗１６１に流れる電流が基準値以上にならないように、トランジスタ１６３のベース−エミッタ間の電圧を調整するトランジスタである。トランジスタ１６２のコレクタは、トランジスタ１６３のベースと、抵抗１６５の一端と、に接続される。トランジスタ１６２は、ＰＮＰ（Positive Negative Positive）トランジスタである。
【００３３】
トランジスタ１６３は、調整部１６０を介して信号線５２０から共用線５３０に流れる電流の電流値が、基準電流値以上にならないように制限するトランジスタである。トランジスタ１６３のコレクタは、抵抗１６４の一端に接続される。抵抗１６４は、室内機２００が備える抵抗２１０に比べて十分に小さい抵抗値を有する抵抗である。抵抗１６４の他端は、抵抗１６５の他端と、ダイオード１９３のアノードとに接続される。抵抗１６５は、抵抗１６４に比べ、十分に抵抗値が大きい抵抗である。調整部１６０の動作については、後述する。
【００３４】
電源端子１９０と接地端子１９１とは、直流電源１１０以外の直流電源であって、交流電源６００から絶縁された直流電源（例えば、制御部１４０の動作電源。図示せず。）に接続される端子である。電源端子１９０の電位は、Ｈレベル（例えば５Ｖ）である。接地端子１９１の電位は、接地電位（例えば０Ｖ）である。
【００３５】
ダイオード１９２とダイオード１９３とは、アノードからカソードに向かう方向にのみ電流を流す整流素子である。ダイオード１９２とダイオード１９３とは、誤配線等により、カレントループ上を流れる可能性がある逆方向電流を遮断する。ダイオード１９２やダイオード１９３は、送信部１２０、受信部１３０、調整部１６０などを構成する回路素子を保護する役割を果たす。ダイオード１９２のカソードは、端子１８２に接続される。
【００３６】
次に、通信装置２００の構成について説明する。通信装置２００は、抵抗２１０と、ダイオード２２０と、ツェナーダイオード２３０と、送信部２４０と、受信部２５０と、制御部２６０と、電源端子２９０と、接地端子２９１と、を備える。
【００３７】
抵抗２１０は、カレントループ上に組み込まれ、通信装置２００内のカレントループに流れる通信電流を制限する制限抵抗である。抵抗２１０は、通信装置２００が備える送信部２４０や受信部２５０を構成する回路素子を保護する役割を果たす。抵抗２１０の抵抗値は、例えば数ｋΩから数十ｋΩの範囲の大きさに設定される。抵抗２１０の一端は、端子２８２に接続され、抵抗２１０の他端は、ダイオード２２０のアノードに接続される。
【００３８】
ダイオード２２０は、アノードからカソードに向かう方向にのみ電流を流す整流素子である。ダイオード２２０は、誤配線等により、カレントループ上を流れる可能性がある逆方向電流を遮断する役割を果たす。ダイオード２２０のカソードは、ツェナーダイオード２３０のカソードと、フォトトランジスタ２４１ｂのコレクタと、に接続される。
【００３９】
ツェナーダイオード２３０は、アノードとカソードとの間に印加された逆方向電圧が降伏電圧未満では逆方向電流がほとんど流れず、この逆方向電圧が降伏電圧以上になると急激に逆方向電流が流れるようになるダイオードである。ツェナーダイオード２３０は、誤配線などにより端子２８２と端子２８３との間に過電圧や逆電圧が印加された際、通信装置２００が備える送信部２４０や受信部２５０を構成する回路素子を保護する役割を果たす。ツェナーダイオード２３０のアノードは、発光ダイオード２５１ａのカソードと、端子２８３と、に接続される。
【００４０】
送信部２４０は、カレントループの状態を導通状態と非導通状態との間で切り替えることによりデータを送信する回路である。具体的には、送信部２４０は、制御部２６０が備えるＰＯ端子のレベルがＨレベルである間、カレントループに通信電流を流し、このＰＯ端子のレベルがＬレベルである間、カレントループに通信電流を流さない。送信部２４０は、フォトカプラ２４１と、抵抗２４２と、を備える。
【００４１】
フォトカプラ２４１は、基本的に、フォトカプラ１２１と同様の構成である。フォトカプラ２４１は、発光ダイオード２４１ａとフォトトランジスタ２４１ｂとを備える。発光ダイオード２４１ａに一次側電流が流れると、フォトトランジスタ２４１ｂの電流路に二次側電流が流れる。発光ダイオード２４１ａのアノードは、抵抗２４２の一端に接続される。発光ダイオード２４１ａのカソードは、接地端子２９１に接続される。フォトトランジスタ２４１ｂのエミッタは、発光ダイオード２５１ａのアノードに接続される。抵抗２４２は、発光ダイオード２４１ａに流れる一次側電流を制限する負荷抵抗である。抵抗２４２の他端は、制御部２６０が備えるＰＯ端子に接続される。
【００４２】
ここで、送信部２４０の動作について簡単に説明する。まず、送信部２４０がデータを送信する際は、フォトカプラ１２１がＯＮ状態に維持されているものとする。制御部２６０のＰＯ端子がＨレベルであると、抵抗２４２を介して、発光ダイオード２４１ａに電流が流れる。このため、フォトカプラ２４１がＯＮ状態となり、カレントループに通信電流が流れる。一方、制御部２６０のＰＯ端子がＬレベルであると、発光ダイオード２４１ａに電流が流れない。このため、フォトカプラ２４１がＯＦＦ状態となり、カレントループに電流が流れない。
【００４３】
受信部２５０は、カレントループに流れる通信電流の有無を検出することによりデータを受信する回路である。具体的には、受信部２５０は、カレントループに通信電流が流れる間、制御部２６０が備えるＰＩ端子をＨレベルにし、カレントループに通信電流が流れない間、このＰＩ端子をＬレベルにする。受信部２５０は、フォトカプラ２５１と、抵抗２５２と、を備える。
【００４４】
フォトカプラ２５１は、基本的に、フォトカプラ１２１と同様の構成である。フォトカプラ２５１は、発光ダイオード２５１ａとフォトトランジスタ２５１ｂとを備える。発光ダイオード２５１ａに一次側電流が流れると、フォトトランジスタ２５１ｂの電流路に二次側電流が流れる。フォトトランジスタ２５１ｂのコレクタは、電源端子２９０に接続される。フォトトランジスタ２５１ｂのエミッタは、抵抗２５２の一端と、制御部２６０が備えるＰＩ端子と、に接続される。抵抗２５２は、フォトトランジスタ２５１ｂに流れる電流を制限する負荷抵抗である。抵抗２５２の他端は、接地端子２９１に接続される。
【００４５】
ここで、受信部２５０の動作について簡単に説明する。カレントループに通信電流が流れると、発光ダイオード２５１ａに電流が流れ、フォトカプラ２５１がＯＮ状態になる。このため、フォトトランジスタ２５１ｂと抵抗２５２とを介して、電源端子２９０から接地端子２９１に電流が流れる。このときに抵抗２５２の両端間に生じる電圧が制御部２６０のＰＩ端子に入力され、ＰＩ端子はＨレベルとなる。一方、カレントループに通信電流が流れないと、発光ダイオード２５１ａに電流が流れず、フォトカプラ２５１がＯＦＦ状態になる。従って、ＰＩ端子は抵抗２５２により接地電位にプルダウンされ、ＰＩ端子はＬレベルとなる。
【００４６】
制御部２６０は、フォトカプラ２４１の状態を制御して、データを送信する。また、制御部２６０は、フォトカプラ２５１の状態に基づいて、データを受信する。制御部２６０は、ＨレベルまたはＬレベルの電圧を出力するＰＯ端子と、ＨレベルまたはＬレベルの電圧が入力されるＰＩ端子と、を備える。制御部２６０は、送信するデータに応じてＰＯ端子から出力する電圧のレベルをＨレベルとＬレベルとの間で切り替える。また、制御部２６０は、ＰＩ端子に入力される電圧がＨレベルとＬレベルのうちのいずれであるのかを判別する。
【００４７】
電源端子２９０と接地端子２９１とは、直流電源１１０以外の直流電源であって、交流電源６００から絶縁された直流電源（例えば、制御部２６０の動作電源。図示せず。）に接続される端子である。電源端子２９０の電位は、Ｈレベル（例えば５Ｖ）である。接地端子２９１の電位は、接地電位（例えば０Ｖ）である。
【００４８】
通信装置３００と通信装置４００とのそれぞれは、通信装置２００と同様の構成である。つまり、通信装置３００と通信装置４００とのそれぞれは、信号線５２０と共用線５３０とを介して、通信装置１００と通信する。
【００４９】
（通信システム１０００の動作）
次に、通信装置１００と通信装置２００と通信装置３００と通信装置４００とが、信号線５２０と共用線５３０とを介したシリアル通信により通信する場合における、通信装置１００と通信装置２００と通信装置３００と通信装置４００との動作について説明する。まず、通信装置１００から通信装置２００と通信装置３００と通信装置４００とのうちの少なくとも１つにデータを送信する場合の動作について説明する。
【００５０】
まず、通信装置２００と通信装置３００と通信装置４００とが、フォトカプラ２４１の状態をＯＮ状態に維持する。そして、通信装置１００が、送信するデータに基づいて、予め設定された基準周期毎にフォトカプラ１２１をＯＮ状態またはＯＦＦ状態にすることにより、通信電流を流したり遮断したりする。ここで、通信装置２００と通信装置３００と通信装置４００とが、予め設定された基準周期毎にフォトカプラ２５１の状態を検出することにより、データを受信する。
【００５１】
次に、通信装置２００と通信装置３００と通信装置４００とのうちのいずれか１つの装置から通信装置１００にデータを送信する場合の動作について説明する。まず、通信装置２００から通信装置１００にデータを送信する場合の動作について説明する。
【００５２】
まず、通信装置１００が、フォトカプラ１２１をＯＮ状態に維持する。また、通信装置３００と通信装置４００とが、フォトカプラ２４１の状態をＯＮ状態に維持する。そして、通信装置２００は、送信するデータに基づいて、予め設定された基準周期毎にフォトカプラ２４１をＯＮ状態またはＯＦＦ状態にすることにより、通信電流を流したり遮断したりする。ここで、通信装置１００が、予め設定された基準周期毎にフォトカプラ１３１の状態を検出することにより、データを受信する。通信装置３００や通信装置４００が、通信装置１００にデータを送信する場合も同様である。
【００５３】
次に、通信装置１００が備える調整部１６０の動作について説明する。
【００５４】
調整部１６０は、信号線５２０と共用線５３０との間の線間電圧のレベルに応じて、信号線５２０と共用線５３０との間の線間インピーダンスを調整する。具体的には、調整部１６０は、信号線５２０と共用線５３０との間の線間電圧が基準電圧（Ｖｔｈ１）未満であるときは、インピーダンスを一定値に保つ。一方、調整部１６０は、この線間電圧が基準電圧以上であるときは、この線間電圧が大きいほどインピーダンスを増加させる。ここで、基準電圧は、調整部１６０が信号線５２０と共用線５３０との間を低インピーダンス状態としたときに生じる誘起電圧の最大値よりも大きい値である。
【００５５】
この誘起電圧は、電源線５１０と信号線５２０との間の線間容量に起因する誘起電圧であり、例えば、電源線５１０から信号線５２０に放射されるノイズに起因する電圧である。図１に示す電源６０は、誘起電圧を発生する仮想的な電源である。この誘起電圧の電圧レベルは、電源線５１０と信号線５２０との間の線間容量と、信号線５２０と共用線５３０との間の線間インピーダンスと、に比例する。従って、信号線５２０と共用線５３０との間の線間インピーダンスを小さくすることで、誘起電圧の電圧レベルを低下させることができる。
【００５６】
ただし、例えば、フォトカプラ１２１がＯＮ状態であるときのように信号線５２０と共用線５３０との間の線間電圧が十分に高い場合、信号線５２０と共用線５３０との間の線間インピーダンスを小さくすると、信号線５２０から共用線５３０に無駄な電流が流れてしまう。そこで、調整部１６０は、信号線５２０と共用線５３０との間の線間電圧に応じて、データの誤検出がなく、また、無駄な電流を消費しないように、線間インピーダンスを調整する。
【００５７】
図２に、調整部１６０の等価回路を示す。図２に示すように、調整部１６０は、抵抗１６１とインピーダンス（抵抗）１６３ｒと抵抗１６４とが直列に接続された回路と見なすことができる。図２に示すように、抵抗１６５は、抵抗１６１や抵抗１６２に比べて抵抗値が非常に大きいため省略される。また、抵抗１６３ｒは、トランジスタ１６３のインピーダンスであり、信号線５２０と共用線５３０との間の線間電圧に応じて変化する。
【００５８】
次に、図３を参照して、信号線５２０と共用線５３０との間の線間電圧と調整部１６０のインピーダンスとの関係について説明する。ここでは、理解を容易にするため、ダイオード１９３の順方向電圧やトランジスタ１６３のエミッタ−コレクタ間の電圧等の影響は省略する。
【００５９】
まず、信号線５２０と共用線５３０との間の線間電圧は、抵抗１６１と抵抗１６４とにより分圧される。ここで、信号線５２０と共用線５３０との間の線間電圧がＶｔｈ１未満の場合、抵抗１６１の両端にかかる電圧は一定値（例えば、０．７Ｖ程度）未満である。この場合、トランジスタ１６２はＯＦＦ状態であるため、トランジスタ１６３のベース−エミッタ間の電圧の調整は実行されない。この場合、トランジスタ１６３はＯＮ状態であり、インピーダンス１６３ｒのインピーダンスは低インピーダンス（抵抗１６４の抵抗値よりも十分に小さい）とみなせる。従って、調整部１６０のインピーダンスは、抵抗１６１の抵抗値と抵抗１６４の抵抗値との合計値程度となり、低インピーダンス（Ｚｌｏｗ）となる。例えば、フォトカプラ１２１がＯＦＦ状態である場合、信号線５２０と共用線５３０との間の線間電圧は、誘起電圧程度の電圧であり、Ｖｔｈ１未満である。このため、フォトカプラ１２１がＯＦＦ状態である場合、調整部１６０のインピーダンスは、低インピーダンスとなる。なお、フォトカプラ１２１がＯＦＦ状態で、調整部１６０がないときは、抵抗２１０の抵抗値が十分大きいため、信号線５２０−共用線５３０間のインピーダンスは高くなり、誘起電圧も大きくなる。このように、調整部１６０により、信号線５２０−共用線５３０間のインピーダンスは低く保たれる。
【００６０】
一方、信号線５２０と共用線５３０との間の線間電圧がＶｔｈ１以上の場合、抵抗１６１の両端にかかる電圧は一定値（例えば、０．７Ｖ程度）に達する。この場合、トランジスタ１６２は、トランジスタ１６２のベース−エミッタ間の電圧（抵抗１６１の両端の電圧）を一定値（例えば、０．７Ｖ程度）に維持するために、トランジスタ１６３のベース−エミッタ間の電圧を調整し、抵抗１６１に流れる電流を制限する。この場合、トランジスタ１６２やトランジスタ１６３は、ＯＮ状態ではなく活性領域で動作し、信号線５２０と共用線５３０との間の線間電圧が上がってもトランジスタ１６３に流れる電流が増加しないため、インピーダンス１６３ｒが増加すると見なせる。例えば、フォトカプラ１２１がＯＮ状態である場合、信号線５２０と共用線５３０との間の線間電圧はＶｔｈ１以上であるＶｓとなる。従って、フォトカプラ１２１がＯＮ状態である場合、調整部１６０のインピーダンスが高インピーダンス（Ｚｈｉ）となる。図３において、Ｖｓは、フォトカプラ１２１がＯＮ状態である場合における、信号線５２０と共用線５３０との間の線間電圧である。フォトカプラ１２１がＯＮ状態のときは、抵抗１５０により、フォトカプラ１２１がＯＦＦ状態のときに比べ、信号線５２０−共用線５３０間のインピーダンスは低く保たれるため、誘起電圧もフォトカプラ１２１がＯＦＦ状態のときに比べ小さくなる。
【００６１】
信号線５２０と共用線５３０との間の線間電圧と調整部１６０のインピーダンスとの関係は、信号線５２０と共用線５３０との間の線間電圧と調整部１６０に流れる電流との関係ともいえる。以下、図４を参照して、信号線５２０と共用線５３０との間の線間電圧と調整部１６０に流れる電流との関係について説明する。
【００６２】
まず、フォトカプラ１２１がＯＦＦ状態である場合、信号線５２０と共用線５３０との間の線間電圧は、誘起電圧程度の電圧であり、Ｖｔｈ１未満である。このため、フォトカプラ１２１がＯＦＦ状態である場合、調整部１６０に流れる電流は、信号線５２０と共用線５３０との間の線間電圧に比例する。
【００６３】
一方、フォトカプラ１２１がＯＮ状態である場合、信号線５２０と共用線５３０との間の線間電圧は、Ｖｔｈ１以上となる。このため、フォトカプラ１２１がＯＮ状態である場合、調整部１６０に流れる電流は、信号線５２０と共用線５３０との間の線間電圧にかかわらず、基準電流値（Ｉｍａｘ）に維持される。
【００６４】
次に、図５と図６とを参照して、調整部１６０により、データの誤検出が抑制される理由について説明する。ここでは、通信装置１００から通信装置２００にデータを送信する場合について説明する。まず、比較例として、図５を参照して、通信システム１０００が調整部１６０を有さない場合にデータが誤検出される理由を説明する。
【００６５】
図５（Ａ）は、フォトカプラ１２１の状態が変化する様子を示すタイミングチャートである。フォトカプラ１２１は、ｔ１まではＯＦＦ状態であり、ｔ１からｔ２まではＯＮ状態であり、ｔ２からｔ３まではＯＦＦ状態であるものとする。この場合、調整部１６０がない構成では、フォトカプラ１２１がＯＦＦ状態であっても、抵抗２１０の抵抗値が十分大きいため、信号線５２０と共用線５３０との間の線間インピーダンスは高くなる。
【００６６】
ここで、信号線５２０と共用線５３０との間の線間容量に起因する放電時間（時定数）は、この線間容量の大きさと、信号線５２０と共用線５３０との間の線間インピーダンスの抵抗成分の大きさと、の積に比例する。従って、信号線５２０と共用線５３０との間の線間インピーダンスが高いと、放電時間も長くなる。
【００６７】
このため、図５（Ｂ）に示すように、ｔ２においてフォトカプラ１２１がＯＦＦ状態となっても、ｔ２からＴｆ１が経過するｔ２１までの間、信号線５２０と共用線５３０との間の線間電圧はＶｔｈ２以上の値を維持する。この結果、図５（Ｃ）に示すように、ｔ１からｔ２１までの間、制御部２６０が備えるＰＩ端子の電圧はＨレベルを維持する。ここで、Ｔｆ１は、フォトカプラ１２１がＯＦＦ状態となってから、制御部２６０がＯＦＦ状態を検出するまでの遅延時間である。また、Ｖｔｈ２は、制御部２６０がＰＩ端子の電圧をＨレベルとＬレベルとのいずれであるのかを判別するための電圧閾値である。
【００６８】
また、図５（Ｂ）に示すように、信号線５２０と共用線５３０との間に誘起電圧が発生すると、ｔ２２からｔ２３までの間、信号線５２０と共用線５３０との間の線間電圧はＶｔｈ２以上の値となる。この結果、図５（Ｃ）に示すように、ｔ２２からｔ２３までの間、制御部２６０が備えるＰＩ端子の電位はＨレベルとなる。このように、調整部１６０がない構成では、信号線５２０と共用線５３０との間に発生する誘起電圧により、フォトカプラ２５１がデータを誤検出する可能性がある。
【００６９】
次に、図６を参照して、通信システム１０００が調整部１６０を有する場合にデータが誤検出されない理由を説明する。
【００７０】
図６（Ａ）は、フォトカプラ１２１の状態が変化する様子を示すタイミングチャートである。フォトカプラ１２１は、ｔ１まではＯＦＦ状態であり、ｔ１からｔ２まではＯＮ状態であり、ｔ２からｔ３まではＯＦＦ状態であるものとする。この場合、調整部１６０がある構成では、フォトカプラ１２１がＯＦＦ状態であると、調整部１６０のインピーダンスが低インピーダンスになるため、信号線５２０と共用線５３０との間の線間インピーダンスは低くなる。ここで、信号線５２０と共用線５３０との間の線間インピーダンスが低いと、放電時間も短くなる。
【００７１】
このため、図６（Ｂ）に示すように、ｔ２においてフォトカプラ１２１がＯＦＦ状態となった後、ｔ２からＴｆ１よりも短いＴｆ２が経過するｔ２４までの間、信号線５２０と共用線５３０との間の線間電圧はＶｔｈ２以上の値を維持する。この結果、図６（Ｃ）に示すように、ｔ１からｔ２４までの間、制御部２６０が備えるＰＩ端子の電位はＨレベルを維持する。このように、調整部１６０がある構成では、調整部１６０がない構成に比べ、制御部２６０がＯＦＦ状態を検出するまでの遅延時間がＴｆ１−Ｔｆ２分だけ短くなる。
【００７２】
また、図６（Ｂ）に示すように、信号線５２０と共用線５３０との間に誘起電圧が発生しても、誘起電圧の電圧レベルがＶｔｈ２以下に抑えられる。また、誘起電圧に起因するノイズ電流は、抵抗２１０よりもインピーダンスが低い調整部１６０に流れやすくなる。この結果、図６（Ｃ）に示すように、ｔ２４からｔ３までの間、制御部２６０が備えるＰＩ端子の電位はＬレベルを維持する。このように、調整部１６０がある構成では、フォトカプラ２５１がデータを誤検出することを防止できる。
【００７３】
なお、調整部１６０がある構成では、フォトカプラ１２１がＯＮ状態であると、調整部１６０のインピーダンスが高インピーダンスになるため、信号線５２０と共用線５３０との間の線間インピーダンスは高くなる。このため、カレントループが導通状態であるときに、調整部１６０に無駄に流れる電流を減らすことができる。
【００７４】
本実施形態では、信号線５２０と共用線５３０との間の線間電圧に応じて、信号線５２０と共用線５３０との間の線間インピーダンスが調整される。より詳細には、調整部１６０は、信号線５２０と共用線５３０との間の線間電圧が基準電圧未満であるときに、調整部１６０のインピーダンスを基準値に維持する。その結果、通信装置１００が備えるフォトカプラ１２１がＯＦＦ状態であるときに、電源線５１０と信号線５２０との間の線間容量に起因する誘起電圧の電圧レベルが低減されるとともに、この誘起電圧により発生するノイズ電流が調整部１６０を介して信号線５２０から共用線５３０に流れる。このため、本実施形態によれば、誘起電圧により発生するノイズ電流に起因するデータの誤検出が防止され、シリアル通信におけるノイズ耐性が向上する。
【００７５】
また、本実施形態では、調整部１６０は、信号線５２０と共用線５３０との間の線間電圧が基準電圧以上のときに、調整部１６０のインピーダンスをこの線間電圧と閾値との差に比例して増加させる。従って、例えば、通信装置１００が備えるフォトカプラ１２１がＯＮ状態であるときに、調整部１６０を介して信号線５２０から共用線５３０に流れる電流は低減する。このように、本実施形態によれば、信号線５２０と共用線５３０との間に抵抗を挿入して信号線５２０と共用線５３０との間の線間インピーダンスを下げる場合に比べ、低消費電力でノイズ耐性が向上する。
【００７６】
また、本実施形態では、フォトカプラ１２１がＯＮ状態からＯＦＦ状態に切り替わる際、調整部１６０のインピーダンスが低下していくため、残存電荷の放電時間が短くなる。その結果、フォトカプラ１２１がＯＦＦ状態になってからフォトカプラ２５１がＯＦＦ状態を検出するまでの遅延時間が短くなり、通信速度の向上が期待できる。
【００７７】
また、本実施形態では、調整部１６０は、フォトカプラなどの素子に比べて一般的に低コストであるトランジスタや抵抗により構成される。従って、本実施形態によれば、低コストでノイズ耐性を向上させることができる。また、トランジスタは、一般的にフォトカプラなどの素子のよりも応答速度が速い。このため、本実施形態によれば、速やかに信号線５２０と共用線５３０との間の線間インピーダンスを調整することができる。
【００７８】
また、本実施形態では、調整部１６０は、外部からの制御（例えば、制御部１４０からの制御）を要さずに、信号線５２０と共用線５３０との間の線間インピーダンスを調整することができる。このため、制御部１４０などの二次側回路を信号線５２０などと絶縁するための構成（例えば、フォトカプラ）を調整部１６０に持たせずに済む。従って、本実施形態によれば、低コスト且つ簡単な構成でノイズ耐性を向上させることができる。
【００７９】
また、本実施形態では、通信するデータに冗長性を持たせることなく、電気回路である調整部１６０によりノイズ耐性の向上が実現される。このため、本実施形態によれば、通信速度を低下させずにノイズ耐性を向上させることができる。
【００８０】
（実施形態２）
次に、図７を参照して、本発明の実施形態２に係る通信システム１００１の構成について説明する。図７に示すように、通信システム１００１は、通信装置１０１と、通信装置２０１と、通信装置３００と、通信装置４００と、を備える。通信装置１０１は、通信装置１００から調整部１６０を除外した構成であり、通信装置２０１は、通信装置２００に調整部１６０を追加した構成である。つまり、通信システム１００１は、調整部１６０を備える通信装置が異なる点を除き、基本的に、通信システム１０００と同様の構成である。
【００８１】
調整部１６０は、抵抗１６１と、トランジスタ１６２と、トランジスタ１６３と、抵抗１６４と、抵抗１６５と、を備える。抵抗１６１の一端は、端子２８２と抵抗２１０の一端とトランジスタ１６２のエミッタとに接続される。抵抗１６１の他端は、トランジスタ１６２のベースとトランジスタ１６３のエミッタとに接続される。トランジスタ１６２のコレクタは、トランジスタ１６３のベースと抵抗１６５の一端とに接続される。トランジスタ１６３のコレクタは、抵抗１６４の一端に接続される。抵抗１６４の他端は、抵抗１６５の他端とダイオード１９３のアノードとに接続される。
【００８２】
調整部１６０の動作は、実施形態１と同様である。つまり、調整部１６０は、信号線５２０と共用線５３０との間の線間電圧が基準電圧未満のときに、調整部１６０のインピーダンスを基準値に維持する。また、調整部１６０は、信号線５２０と共用線５３０との間の線間電圧が基準電圧以上のときに、調整部１６０のインピーダンスをこの線間電圧と閾値との差に比例して増加させる。
【００８３】
本実施形態では、信号線５２０と共用線５３０との間の線間電圧に応じて、信号線５２０と共用線５３０との間の線間インピーダンスが調整される。このため、本実施形態によれば、シリアル通信におけるノイズ耐性が向上する。
【００８４】
（変形例）
以上、本発明の実施形態を説明したが、本発明を実施するにあたっては、種々の形態による変形及び応用が可能である。
【００８５】
本発明において、上記実施形態において説明した構成、機能、動作のどの部分を採用するのかは任意である。また、本発明において、上述した構成、機能、動作のほか、更なる構成、機能、動作が採用されてもよい。また、上記実施形態において説明した構成、機能、動作は、自由に組み合わせることができる。
【００８６】
実施形態１及び実施形態２では、本発明を、複数の通信装置の間で双方向通信が可能である通信システムに適用する例について説明した。この他、本発明は、複数の通信装置の間で片方向通信が可能である通信システムに適用することができる。例えば、本発明は、通信装置１００から受信部１３０を除外した送信装置と、通信装置２００から送信部２４０を除外した受信装置と、を備える通信システムに適用可能である。このような通信システムは、例えば、監視装置と被監視装置とを備える通信システムや、制御装置と被制御装置とを備える通信システムである。このような通信システムにおいても、シリアル通信する際のノイズ耐性の向上が期待できる。
【００８７】
実施形態１では、通信システム１０００が空調システムである例、つまり、通信装置１００が室外機であり通信装置２００が室内機である例について説明した。同様に、実施形態２では、通信システム１００１が空調システムである例、つまり、通信装置１０１が室外機であり通信装置２０１が室内機である例について説明した。本発明を適用するシステムは、空調システムに限定されない。本発明は、信号線５２０と共用線５３０とにより相互に接続され、信号線５２０と共用線５３０とを介したシリアル通信により相互に通信する複数の通信装置を備える通信システムに適用可能である。例えば、本発明は、照明制御装置と照明装置とを備える照明システムに適用可能である。
【００８８】
上記実施形態では、通信装置１００が、直流電源１１０を備え、交流電源６００から電力の供給を受ける構成について説明した。本発明において、通信装置２００が、直流電源１１０を備え、交流電源６００から電力の供給を受ける構成であってもよい。
【００８９】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００９０】
本発明は、カレントループを用いてシリアル通信する通信システムに適用可能である。
【符号の説明】
【００９１】
５０  コンデンサ、６０  電源、１００，１０１，２００，２０１，３００，４００  通信装置、１１０  直流電源、１１１，１２２，１３２，１５０，１６１，１６４，１６５，２１０，２４２，２５２  抵抗、１１２，１９２，１９３，２２０  ダイオード、１１３，２３０  ツェナーダイオード、１１４  電解コンデンサ、１２０，２４０  送信部、１２１，１３１，２４１，２５１  フォトカプラ、１２１ａ，１３１ａ，２４１ａ，２５１ａ  発光ダイオード、１２１ｂ，１３１ｂ，２４１ｂ，２５１ｂ  フォトトランジスタ、１３０，２５０  受信部、１４０，２６０  制御部、１６０  調整部、１６２，１６３  トランジスタ、１６３ｒ  インピーダンス、１８１，１８２，１８３，１８４，１８５，２８１，２８２，２８３，３８１，３８２，３８３，４８１，４８２，４８３  端子、１９０，２９０  電源端子、１９１，２９１  接地端子、５１０，５３１  電源線、５２０  信号線、５３０，５３２  共用線、６００  交流電源、１０００，１００１  通信システム
【図１】
2016139746.tif 000003
【図２】
2016139746.tif 000004
【図３】
2016139746.tif 000005
【図４】
2016139746.tif 000006
【図５】
2016139746.tif 000007
【図６】
2016139746.tif 000008
【図７】
2016139746.tif 000009
【国際調査報告】
2016139746.tif 000010
2016139746.tif 000011